(57)【要約】      （修正有）【課題】部品点数が削減された蓄電モジュールを提供する。【解決手段】第１安全弁３９を有する第１蓄電素子１１を備えた第１ユニット１２と、第２安全弁５３を有する第２蓄電素子１３を備えた第２ユニット１４と、第１安全弁３９及び第２安全弁５３に接続されて、第１安全弁３９及び第２安全弁５３の少なくとも一方から放出されたガスを流通させるダクト部材８４と、を備えた蓄電モジュール１０であって、第１ユニット１２は、第１蓄電素子１１の第１安全弁３９が第２ユニット１４に対向するように配されており、第２ユニット１４は、第２蓄電素子１３の第２安全弁５３が第１ユニット１２に対向するように配されており、ダクト部材８４が第１ユニット１２と第２ユニット１４との間に配置されている蓄電モジュール。【選択図】図７
2017004901.tif 000002
【特許請求の範囲】
【請求項１】
第１安全弁を有する第１蓄電素子を備えた第１ユニットと、
第２安全弁を有する第２蓄電素子を備えた第２ユニットと、
前記第１安全弁及び前記第２安全弁に接続されて、前記第１安全弁及び前記第２安全弁の少なくとも一方から放出されたガスを流通させるダクト部材と、を備え、
前記第１蓄電素子の前記第１安全弁が前記第２ユニットに対向して配されており、
前記第２蓄電素子の前記第２安全弁が前記第１ユニットに対向して配されており、
前記ダクト部材が前記第１ユニットと前記第２ユニットとの間に配置されている蓄電モジュール。
【請求項２】
前記ダクト部材は、前記第１安全弁と前記第２安全弁との間に、保護壁を有する、請求項１に記載の蓄電モジュール。
【請求項３】
前記ダクト部材は、前記第１ユニットと係止する第１係止部を有すると共に、前記第２ユニットと係止する第２係止部を有する、請求項１または請求項２に記載の蓄電モジュール。
【請求項４】
前記第１蓄電素子は第１電極を有し、前記第２蓄電素子は第２電極を有しており、
前記ダクト部材は、絶縁体からなると共に、前記第１電極と前記第２電極との間に配置されている、請求項１ないし請求項３のいずれか一項に記載の蓄電モジュール。
【発明の詳細な説明】
【技術分野】
【０００１】
本明細書に開示された技術は、複数の蓄電素子を備えた蓄電モジュールに関する。
【背景技術】
【０００２】
従来、蓄電モジュールとして特許文献１に記載のものが知られている。この蓄電モジュールは、複数の蓄電素子を並べてなる蓄電ユニットを、３段に重ねてなる。
【０００３】
各蓄電ユニットの上面には、蓄電素子の安全弁から排出されるガスを外部に排出するためのダクトが形成されている。
【先行技術文献】
【特許文献】
【０００４】
【特許文献１】特開２０１１−１０８６５３号公報
【発明の概要】
【発明が解決しようとする課題】
【０００５】
上記の構成によれば、複数の蓄電ユニットの数に応じて、複数のダクトが必要とされるので、部品点数が増大するという問題がある。
【０００６】
本発明は上記のような事情に基づいて完成されたものであって、部品点数が削減された蓄電モジュールを提供することを目的とする。
【課題を解決するための手段】
【０００７】
本明細書に記載された蓄電モジュールは、第１安全弁を有する第１蓄電素子を備えた第１ユニットと、第２安全弁を有する第２蓄電素子を備えた第２ユニットと、前記第１安全弁及び前記第２安全弁に接続されて、前記第１安全弁及び前記第２安全弁の少なくとも一方から放出されたガスを流通させるダクト部材と、を備え、前記第１蓄電素子の前記第１安全弁が前記第２ユニットに対向して配されており、前記第２蓄電素子の前記第２安全弁が前記第１ユニットに対向して配されており、前記ダクト部材が前記第１ユニットと前記第２ユニットとの間に配置されている。
【０００８】
本明細書に記載された技術によれば、第１安全弁から排出されるガスを流通させるためのダクトと、第２安全弁から排出されるガスを流通させるためのダクトとを、１つのダクト部材で兼ねることができるので、部品点数を削減することができる。
【０００９】
また、本明細書に記載された技術によれば、第１ユニットと第２ユニットとを組み付けるという作業によって、ダクト部材は、第１ユニットに押圧されると共に、第２ユニットにも押圧される。詳細に説明すると、第１ユニットと第２ユニットとの間に配されたダクト部材は、第１ユニット側に押圧されると共に、第２ユニット側にも押圧される。これにより、ダクト部材は、第１ユニットの第１安全弁に対して確実に接続されると共に、第２ユニットの第２安全弁に対しても確実に接続される。この結果、第１ユニットと第２ユニットとを組み付けるという１つの作業によって、ダクト部材は、第１ユニット及び第２ユニットの双方に対して確実に接続されるようになっているので、蓄電モジュールの製造効率を向上させることができる。
【００１０】
更に、ダクト部材を、第１ユニット及び第２ユニットのそれぞれに対して押圧するための部材が不要になるので、部品点数を削減することができる。
【００１１】
本発明の実施態様としては以下の態様が好ましい。
【００１２】
前記ダクト部材は、前記第１安全弁と前記第２安全弁との間に、保護壁を有することが好ましい。
【００１３】
上記の態様によれば、第１安全弁、又は第２安全弁が破断した場合において、第１安全弁及び第２安全弁の一方が、他方を損傷することを抑制することができる。
【００１４】
前記ダクト部材は、前記第１ユニットと係止する第１係止部を有すると共に、前記第２ユニットと係止する第２係止部を有することが好ましい。
【００１５】
上記の態様によれば、ダクト部材を介して、第１ユニットと第２ユニットとを仮組みすることができる。これにより、蓄電モジュールの組み付け工程を効率化することができる。
【００１６】
前記第１蓄電素子は第１電極を有し、前記第２蓄電素子は第２電極を有しており、前記ダクト部材は、絶縁体からなると共に、前記第１電極と前記第２電極との間に配置されていることが好ましい。
【００１７】
上記の態様によれば、ダクト部材によって、第１電極と第２電極との間の絶縁を確実に図ることができる。この結果、第１電極と第２電極とを絶縁する部材を別途、用意する必要がないので部品点数を削減することができる。
【発明の効果】
【００１８】
本発明によれば、蓄電モジュールの部品点数を削減することができる。
【図面の簡単な説明】
【００１９】
【図１】実施形態１に係る蓄電モジュールを示す分解斜視図
【図２】蓄電モジュールを示す平面図
【図３】図２におけるＰ−Ｐ線断面図
【図４】図２におけるＱ−Ｑ線断面図
【図５】図２におけるＲ−Ｒ線断面図
【図６】図２におけるＳ−Ｓ線断面図
【図７】図２におけるＴ−Ｔ線断面図
【図８】第１ユニットを示す斜視図
【図９】第１ユニットを示す底面図
【図１０】第２ユニットを示す平面図
【図１１】第２ユニットを示す斜視図
【図１２】第１蓄電素子を示す斜視図
【図１３】第１導体を示す斜視図
【図１４】第１分割体を示す斜視図
【図１５】第２分割体を示す斜視図
【図１６】第１外部導体を示す斜視図
【図１７】第２外部導体を示す斜視図
【図１８】蓄電モジュールを示す側面図
【図１９】図１８におけるＵ−Ｕ線断面図
【図２０】図１８におけるＶ−Ｖ線断面図
【図２１】ダクト部材を示す分解斜視図
【図２２】第１ダクト部材を示す斜視図
【図２３】第２ダクト部材を示す斜視図
【発明を実施するための形態】
【００２０】
＜実施形態１＞
本発明の実施形態１を、図１ないし図２３を参照しつつ、説明する。本実施形態に係る蓄電モジュール１０は、車両（図示せず）に配されて、車両に配設された電子部品（図示せず）又は電気部品（図示せず）に電力を供給するものである。なお、以下の説明においては、図１に示すＺ方向を上方とし、Ｙ方向を前方とし、Ｘ方向を右方として説明する。また、複数の同一部材については、一部の部材にのみ符号を付し、他の部材については符号を省略することがある。
【００２１】
（蓄電モジュール１０）
蓄電モジュール１０は、複数（本実施形態では２つ）の第１蓄電素子１１を有する第１ユニット１２と、複数（本実施形態では２つ）の第２蓄電素子１３を有する第２ユニット１４と、第１蓄電素子１１又は第２蓄電素子１３から放出されたガスを流通させるダクト部材８４と、を備える。
【００２２】
（第１ユニット１２）
第１ユニット１２には、前方に開口する第１開口部２６を有する合成樹脂製の第１ケース２７内に、２つの第１蓄電素子１１が上下方向に積層された状態で収容されている。第１ケース２７は、上下方向について扁平な略直方体形状をなしている。第１ケース２７の第１開口部２６には、第１開口部２６の形状に倣った形状をなす第１カバー２８が内嵌されている。第１ケース２７のロック部２９と、第１カバー２８とのロック受け部３０とが弾性的に係合することにより、第１ケース２７と第１カバー２８とは一体に組み付けられている。
【００２３】
第１ケース２７の左右両端部には、左右方向の外方に突出する第１右固定部３１、及び第１左固定部３２が形成されている。第１右固定部３１、及び第１左固定部３２には、前後方向にボルト３３が挿通されるボルト挿通孔３４が上下に並んで形成されている。
【００２４】
第１蓄電素子１１は、扁平な略直方体形状をなしている。第１蓄電素子１１の内部には図示しない蓄電要素が収容されると共に、図示しない電解質が注入されている。
【００２５】
第１蓄電素子１１の前面には、正極３７（第１電極）と、負極３８（第１電極）とが、左右両端部寄りの位置から前方に突出されている。正極及３７及び負極３８は表面にねじ山が形成されたボルト状をなしている。第１蓄電素子１１の前面には、正極３７と、負極３８との間であって、左右方向について略中央位置に、第１安全弁３９が設けられている。この第１安全弁３９は、例えば第１蓄電素子１１に異常が発生して第１蓄電素子１１の内圧が上昇した場合に、第１安全弁３９が破断することによって、第１蓄電素子１１の内圧を減少させるようになっている。第１安全弁３９は前方から見て略円形状に形成されている
【００２６】
第１カバー２８には、下側に配された第１蓄電素子１１の正極３７に接続された第１外部導体２２が配設されている。また、第１カバー２８には、下側に配された第１蓄電素子１１の負極３８と、上側に配された第１蓄電素子１１の正極３７とを接続する第１導体４０が配設されている。また、第１カバー２８には、上側に配された第１蓄電素子１１の負極３８に接続されて、後述する第２蓄電素子１３の正極５１と接続される第３導体４１が配設されている。第１カバー２８は絶縁性の合成樹脂製である。これにより、第１外部導体２２、第１導体４０、及び第３導体４１は電気的に絶縁されている。
【００２７】
第１カバー２８には、第１安全弁３９に対応する位置に、前方から見て円筒形状をなす第１枠部４２が形成されている。第１枠部４２の内径寸法は、第１安全弁３９の外形寸法と略同じか、又はやや大きく設定されている。
【００２８】
（第２ユニット１４）
第２ユニット１４には、後方に開口する第２開口部４３を有する合成樹脂製の第２ケース４４内に、２つの第２蓄電素子１３が上下方向に積層された状態で収容されている。第２ケース４４は、上下方向について扁平な略直方体形状をなしている。第２ケース４４の第２開口部４３には、第２開口部４３の形状に倣った形状をなす第２カバー４５が内嵌されている。第２ケース４４のロック部４６と、第２カバー４５とのロック受け部４７とが弾性的に係合することにより、第２ケース４４と第２カバー４５とは一体に組み付けられている。
【００２９】
第２ケース４４の左右両端部には、左右方向の外方に突出する第２右固定部４８、及び第２左固定部４９が形成されている。第２右固定部４８、及び第２左固定部４９には、ボルト３３が螺合されるナット５０が上下に並んでインサート成形されている。
【００３０】
ボルト３３が、第１ケース２７のボルト挿通孔３４に挿通されると共に、第２ケース４４のナット５０に螺合されることにより、第１ケース２７と第２ケース４４とが一体に組み付けられるようになっている。
【００３１】
第２蓄電素子１３は、扁平な略直方体形状をなしている。第２蓄電素子１３の内部には図示しない蓄電要素が収容されると共に、図示しない電解質が注入されている。
【００３２】
第２蓄電素子１３の後面には、正極５１（第２電極）と、負極５２（第２電極）とが、左右両端部寄りの位置から後方に突出されている。正極５１及び負極５２は、表面にねじ山が形成されたボルト状をなしている。第２蓄電素子１３の後面には、正極５１と、負極５２と間であって、左右方向について略中央位置に、第２安全弁５３が設けられている。この第２安全弁５３は、例えば第１蓄電素子１１に異常が発生して第２蓄電素子１３の内圧が上昇した場合に、第２安全弁５３が破断することによって、第２蓄電素子１３の内圧を減少させるようになっている。第２安全弁５３は後方から見て略円形状に形成されている。
【００３３】
第２カバー４５には、下側に配された第２蓄電素子１３の負極５２に接続された第２外部導体２４が配設されている。また、第２カバー４５には、下側に配された第２蓄電素子１３の正極５１と、上側に配された第２蓄電素子１３の負極５２とを接続する第２導体５４が配設されている。また、第２カバー４５には、上側に配された第２蓄電素子１３の正極５１に接続されて、前述した第１蓄電素子１１の負極３８と接続される第３導体４１が配設されている。第２カバー４５は絶縁性の合成樹脂製である。これにより、第２外部導体２４、第２導体５４、及び第３導体４１は電気的に絶縁されている。
【００３４】
第２カバー４５には、第２安全弁５３に対応する位置に、前方から見て円筒形状をなす第２枠部５５が形成されている。第２枠部５５の内径寸法は、第２安全弁５３の外形寸法と略同じか、又はやや大きく設定されている。
【００３５】
（第１ユニット１２と第２ユニット１４との組み付け構造）
第１ユニット１２と第２ユニット１４とがボルト３３によって固定された状態では、第１ユニット１２は、第１蓄電素子１１の第１安全弁３９が前側に位置する姿勢で配されている。このとき、第２ユニット１４は、第２蓄電素子１３の第２安全弁５３が後側に位置する姿勢で配されている。換言すると、第１ユニット１２と第２ユニット１４とが固定された状態では、第１蓄電素子１１の第１安全弁３９は第２ユニット１４に対向する姿勢で配されており、第２蓄電素子１３の第２安全弁５３は第１ユニット１２に対向する姿勢で配されるようになっている。
【００３６】
（ダクト部材８４）
ダクト部材８４は、絶縁体からなり、本実施形態においては絶縁性の合成樹脂からなる。ダクト部材８４は、第１ユニット１２側に配される第１ダクト部材８５と、第２ユニット１４側に配される第２ダクト部材８６と、第１ダクト部材８５と第２ダクト部材８６の間に配される保護壁８７と、を備える。
【００３７】
第１ダクト部材８５と、第２ダクト部材８６とは、図示しない接着剤層を介して接着されていてもよい。また、第１ダクト部材８５と、第２ダクト部材８６とは、図示しないロック手段によって弾性的に組み付けられる構成としてもよいし、第１ダクト部材８５と、第２ダクト部材８６とは、溶着されていてもよい。更に、第１ダクト部材８５と、第２ダクト部材８６と、保護壁８７とが、一体に成形されていてもよい。
【００３８】
第１ダクト部材８５は、略長方形状をなす第１板部８８を備える。第１板部８８には、後方に陥没する第１凹部８９が形成されている。第１凹部８９の後端部には、上下に並ぶ第１安全弁３９に対応する位置に、上下に並ぶ２つの第１嵌合筒部９０が形成されている。各第１嵌合筒部９０には、第１ゴムリング９１が外嵌されている。第１ゴムリング９１は、第１カバー２８の第１枠部４２に内嵌するようになっている。なお、第１ゴムリング９１は、第１ダクト部材８５と一体に成形されていてもよい。  
【００３９】
第１ダクト部材８５の右端部には、右方に突出する筒状をなすパイプ部３５が形成されている。パイプ部３５の内部は、第１凹部８９に連通している。パイプ部３５の端部には、図示しないチューブが接続されている。このチューブを介して、パイプ部３５の内部は車両の外部空間と連通している。
【００４０】
第１板部８８の後面には、後方に突出する複数（本実施形態では４つ）の第１嵌合板部９２が形成されている。第１嵌合板部９２の後端部には、第１カバー２８と係止する第１係止部９３が形成されている。第１カバー２８には、第１係止部９３に対応する位置に、第１被係止部９４が形成されている。第１係止部９３と第１被係止部９４とが弾性的に係止することにより、第１カバー２８と第１ダクト部材８５とが仮係止されるようになっている。
【００４１】
第２ダクト部材８６は、略長方形状をなす第２板部９５を備える。第２板部９５には、前方に陥没する第２凹部９６が形成されている。第２凹部９６の前端部には、上下に並ぶ第２安全弁５３に対応する位置に、上下に並ぶ２つの第２嵌合筒部９７が形成されている。各第２嵌合筒部９７には、第２ゴムリング９８が外嵌されている。第２ゴムリング９８は、第２カバー４５の第２枠部５５に内嵌するようになっている。なお、第２ゴムリング９８は、第２ダクト部材８６と一体に成形されていてもよい。
【００４２】
第２板部９５の前面には、前方に突出する複数（本実施形態では４つ）の第２嵌合板部９９が形成されている。第２嵌合板部９９の前端部には、第２カバー４５と係止する第２係止部１００が形成されている。第２カバー４５には、第２係止部１００に対応する位置に、第２被係止部１０１が形成されている。第２係止部１００と第２被係止部１０１とが弾性的に係止することにより、第２カバー４５と第２ダクト部材８６とが仮係止されるようになっている。
【００４３】
第１ダクト部材８５と、第２ダクト部材８６とが組み付けられた状態で、第１ダクト部材８５の第１凹部８９と、第２ダクト部材８６の第２凹部９６とによって、第１蓄電素子１１の第１安全弁３９から放出されたガス、又は、第２蓄電素子１３の第２安全弁５３から放出されたガスがためられるようになっている。第１ダクト部材８５と、第２ダクト部材８６とが組み付けられた状態で、第１凹部８９と第２凹部９６とは、接着剤層や、パッキン等の公知の手法によって、気密に形成されている。
【００４４】
第１ダクト部材８５と、第２ダクト部材８６との間には、略長方形状をなす保護壁８７が、第１ダクト部材８５と第２ダクト部材８６とに挟持されている。保護壁８７は、ダクト部材８４が第１ユニット１２及び第２ユニット１４に組み付けられた状態で、第１安全弁３９の前方に位置して第１安全弁３９と対向するとともに、第２安全弁５３の後方に位置して第２安全弁５３と対向するようになっている。
【００４５】
また、ダクト部材８４が、第１ユニット１２及び第２ユニット１４に組み付けられた状態で、ダクト部材８４は、第１蓄電素子１１の正極３７と、第２蓄電素子１３の負極５２との間に配置されていると共に、第１蓄電素子１１の負極３８と、第２蓄電素子１３の正極５１との間に配置されている。
【００４６】
また、第１ユニット１２と第２ユニット１４とが組み付けられた状態で、ダクト部材８４は第１ユニット１２と第２ユニット１４との間に挟み付けられている。
【００４７】
（第１ユニット１２と第２ユニット１４との組み付け工程）
続いて、第１ユニット１２と、第２ユニット１４との組み付け工程の一例を説明する。なお、第１ユニット１２と、第２ユニット１４との組み付け工程は以下の記載に限定されない。
【００４８】
第１ケース２７の第１開口部２６から第１蓄電素子１１を第１ケース２７内に収容する。第１開口部２６内に、第１カバー２８を取り付ける。正極３７、及び負極３８に対して、第１導体４０、第３導体４１、及び第１外部導体２２を、ナット１０２を螺合することにより接続する。
【００４９】
第２ケース４４の第２開口部４３から第２蓄電素子１３を第１ケース２７内に収容する。第２開口部４３内に、第２カバー４５を取り付ける。正極５１、及び負極５２に対して、第２導体５４、第３導体４１、及び第２外部導体を、ナット１０２を螺合することにより接続する。
【００５０】
第１ダクト部材８５と、第２ダクト部材８６との間に、保護壁８７が挟まれた状態で、第１ダクト部材８５と、第２ダクト部材８６とを、例えば接着材によって接着することにより、気密に組み付ける。
【００５１】
ダクト部材８４の第１係止部９３と、第１ユニット１２の第１被係止部９４とを弾性的に係止する。また、ダクト部材８４の第２係止部１００と、第２ユニット１４の第２被係止部１０１とを弾性的に係止する。これにより、ダクト部材８４に対して、第１ユニット１２と第２ユニット１４とが仮組みされる。
【００５２】
第１右固定部３１、及び第１左固定部３２の第１挿通孔にボルト３３を挿通させると共に、第２右固定部４８、及び第２左固定部４９のナット５０にこのボルト３３を螺合させる。これにより、第１ユニット１２と第２ユニット１４とを一体に固定する。
【００５３】
（本実施形態の作用、効果）
続いて、本実施形態の作用、効果について説明する。本実施形態に係る蓄電モジュール１０は、第１安全弁３９を有する第１蓄電素子１１を備えた第１ユニット１２と、第２安全弁５３を有する第２蓄電素子１３を備えた第２ユニット１４と、第１安全弁３９及び第２安全弁５３に接続されて、第１安全弁３９及び第２安全弁５３の少なくとも一方から放出されたガスを流通させるダクト部材８４と、を備え、第１蓄電素子１１の第１安全弁３９が第２ユニット１４に対向して配されており、第２蓄電素子１３の第２安全弁５３が第１ユニット１２に対向して配されており、ダクト部材８４が第１ユニット１２と第２ユニット１４との間に配置されている。
【００５４】
これにより、第１安全弁３９から排出されるガスを流通させるためのダクトと、第２安全弁５３から排出されるガスを流通させるためのダクトとを、１つのダクト部材８４で兼ねることができるので、部品点数を削減することができる。
【００５５】
また、本実施形態によれば、第１ユニット１２と第２ユニット１４とが組み付けられた状態で、ダクト部材８４は第１ユニット１２と第２ユニット１４との間に配置されている。これにより、第１ユニット１２と第２ユニット１４とを組み付けるという作業によって、ダクト部材８４は、第１ユニット１２に押圧されると共に、第２ユニット１４にも押圧される。具体的には、第１ユニット１２の前部と、第２ユニット１４の後部とを突き合わせて、第１ユニット１２のボルト挿通孔３４にボルト３３を挿通し、第２ユニット１４のナット５０にボルト３３を螺合する。これにより、第１ユニット１２と第２ユニット１４との間に配されたダクト部材８４は、第１ユニット１２側に押圧されると共に、第２ユニット１４側にも押圧される。すると、第１ユニット１２の第１ゴムリング９１は、第１カバー２８の第１枠部４２内に押圧されて、第１ゴムリング９１が第１枠部４２と密着する。また、第２ユニット１４の第２ゴムリング９８は、第２カバー４５の第２枠部５５内に押圧されて、第２ゴムリング９８が第２枠部５５と密着する。
【００５６】
このように、ダクト部材８４は、第１ユニット１２の第１安全弁３９に対して確実に接続されると共に、第２ユニット１４の第２安全弁５３に対しても確実に接続される。このように、本実施形態によれば、第１ユニット１２と第２ユニット１４とを組み付けるという１つの作業によって、ダクト部材８４は、第１ユニット１２及び第２ユニット１４の双方に対して確実に接続されるようになっているので、蓄電モジュール１０の製造効率を向上させることができる。
【００５７】
更に、ダクト部材８４を、第１ユニット１２及び第２ユニット１４のそれぞれに対して押圧するための部材が不要になるので、部品点数を削減することができる。
【００５８】
また、本実施形態によれば、ダクト部材８４は、第１安全弁３９と、第２安全弁５３との間に、保護壁８７を有する。これにより、第１安全弁３９、又は第２安全弁５３が破断した場合において、第１安全弁３９及び第２安全弁５３の一方が、他方を損傷することを抑制することができる。
【００５９】
また、本実施形態によれば、ダクト部材８４は、第１ユニット１２と係止する第１係止部９３を有すると共に、第２ユニット１４と係止する第２係止部１００を有する。これにより、ダクト部材８４を介して、第１ユニット１２と第２ユニット１４とを仮組みすることができる。これにより、蓄電モジュール１０の組み付け工程を効率化することができる。
【００６０】
また、本実施形態によれば、第１蓄電素子１１は正極３７、及び負極３８を有し、第２蓄電素子１３は正極５１、及び負極５２を有しており、ダクト部材８４は、絶縁体からなると共に、正極３７と負極５２との間、及び負極３８と正極５１との間に配置されている。これにより、ダクト部材８４によって、正極３７と負極５２との間、及び負極３８と正極５１との間の絶縁を確実に図ることができる。
【００６１】
＜他の実施形態＞
本発明は上記記述及び図面によって説明した実施形態に限定されるものではなく、例えば次のような実施形態も本発明の技術的範囲に含まれる。
【００６２】
（１）第１蓄電素子１１、及び第２蓄電素子１３は、リチウムイオン二次電池、ニッケル水素二次電池等の二次電池としてもよく、また、リチウムイオンキャパシタ、電気二重層キャパシタ等の、キャパシタとしてもよい。
【００６３】
（２）本実施形態においては、ダクト部材８４には保護壁８７が備えられる構成としたが、これに限られず、保護壁８７は省略してもよい。
【００６４】
（３）本実施形態においては、ダクト部材８４には第１係止部９３、及び第２係止部１００が形成される構成としたが、これに限られず、第１係止部９３、及び第２係止部１００は省略してもよい。
【００６５】
（４）本実施形態においては、ダクト部材８４は絶縁性の合成樹脂からなる構成としたが、これに限られず、ダクト部材８４は、金属等の導体からなるものとしてもよい。
【００６６】
（５）本実施形態においては、第１蓄電素子１１、及び第２蓄電素子１３は略直方体形状をなすものとしたが、これに限られず、円筒形状としてもよいし、任意の形状を適宜に選択できる。
【符号の説明】
【００６７】
１０：蓄電モジュール
１１：第１蓄電素子
１２：第１ユニット
１３：第２蓄電素子
１４：第２ユニット
３７：正極（第１電極）
３８：負極（第１電極）
３９：第１安全弁
５１：正極（第２電極）
５２：負極（第２電極）
５３：第２安全弁
８４：ダクト部材
８７：保護壁
９３：第１係止部
１００：第２係止部
【図１】
2017004901.tif 000003
【図２】
2017004901.tif 000004
【図３】
2017004901.tif 000005
【図４】
2017004901.tif 000006
【図５】
2017004901.tif 000007
【図６】
2017004901.tif 000008
【図７】
2017004901.tif 000009
【図８】
2017004901.tif 000010
【図９】
2017004901.tif 000011
【図１０】
2017004901.tif 000012
【図１１】
2017004901.tif 000013
【図１２】
2017004901.tif 000014
【図１３】
2017004901.tif 000015
【図１４】
2017004901.tif 000016
【図１５】
2017004901.tif 000017
【図１６】
2017004901.tif 000018
【図１７】
2017004901.tif 000019
【図１８】
2017004901.tif 000020
【図１９】
2017004901.tif 000021
【図２０】
2017004901.tif 000022
【図２１】
2017004901.tif 000023
【図２２】
2017004901.tif 000024
【図２３】
2017004901.tif 000025